(57)【要約】【課題】装置内に収納された発行前のカードの枚数を正確に自動計数することのできるカード発行装置を提供する。【解決手段】カード収納部７に、カードを繰出す繰出し口１０とカードをカード収納部７の中に回収する回収口１１を設ける。繰出し口１０からカードを１枚繰出し、エレベータ部２２により回収口１１まで搬送し、回収口１１からカード収納部７に回収する。これを繰返してカード収納部７内の全てのカードを繰出し、回収することで、カード収納部７内のカード枚数を自動計数する。【選択図】図４
2011008653.tif 000002
【特許請求の範囲】
【請求項１】
発行前のカードを収納するカード収納部と、カード表面に印字を行う印刷部と、カードに顧客情報を記録するカードリーダライタ部と、カードを搬送する搬送部と、各部を制御する制御部と、を有するカード発行装置であって、
前記カード収納部は、収納されたカードを前記搬送部へ繰出す繰出し口と、前記搬送部へ繰出されたカードを該カード収納部内に回収するために、前記繰出し口と別に設けられた回収口と、を備えたことを特徴とするカード発行装置。
【請求項２】
請求項１記載のカード発行装置であって、
前記搬送部は、該搬送部の移動方向と直交する方向にカードを搬送する搬送路を内部に有することを特徴とするカード発行装置。
【請求項３】
請求項１あるいは請求項２に記載のカード発行装置であって、
前記カード収納部は、内部にカード束に押圧を加えるための押板と、前記押板を検知する検知手段とを備え、
前記制御部は、前記検知手段によって前記押板が前記カード収納部の最下部に収納されていることを検知した場合、該カード収納部に収納されたカードの前記搬送部への繰出を停止させることを特徴とするカード発行装置。
【請求項４】
請求項１あるいは請求項２に記載のカード発行装置であって、
前記カード収納部は、内部にカード束に押圧を加えるための押板を備え、
前記制御部は、前記押板を前記繰出し口から前記搬送部へ繰出し、前記回収口から該カード収納部内に回収することを特徴とするカード発行装置。
【請求項５】
請求項４記載のカード発行装置であって、
前記押板の一部はカード１枚の厚さと同等の厚さであり、前記繰出し口の一部はカードの厚さ方向の開口寸法が、カード１枚の厚さよりも大きく、カード２枚の厚さよりも小さいことを特徴とするカード発行装置。
【請求項６】
請求項１あるいは請求項２記載のカード発行装置であって、
前記カード収納部は、内部にカード束に押圧を加えるための押板を備え、
前記押板は、前記搬送部の移動に連動して移動することを特徴とするカード発行装置。
【発明の詳細な説明】
【技術分野】
【０００１】
本発明は、カード収納部に収納されたカード束からカードを繰出し、カードへの印刷や磁気情報の書き込みなどを行い発行するカード発行装置に関するものである。
【背景技術】
【０００２】
キャッシュカードやクレジットカードなどの発行を行うカード発行装置においては、装置内に収納された発行前のカードは、盗難にあうなどした場合、そのカードに磁気情報などを書き込まれて不正に利用される可能性もあるため、厳重な管理が必要とされている。
【０００３】
装置内のカードの枚数を管理する方法として、特許文献１には、カードに付与されたシリアル番号を読み取って装置内のどこにどのカードがあるのかを管理する方法が記載されている。また、特許文献２には、カード収納部に積載されたカード束の積載高さを計測し、これをカード１枚の厚さで割ることで枚数を算出する方法が記載されている。さらに、カード収納部にカードを収納する際に枚数を数えてこれを記録しておき、カードを発行するたびに記録されている枚数から発行した枚数を減算していき回数を管理するという方法もある。
【先行技術文献】
【特許文献】
【０００４】
【特許文献１】特開２００５−３３９４０７号公報
【特許文献２】特開２００２−３２４２６８号公報
【発明の概要】
【発明が解決しようとする課題】
【０００５】
しかしながら、カードにシリアル番号を付与することはカードのコストアップにつながるという問題があり、また、カード収納部に積載されたカード束の積載高さを計測し、これをカード１枚の厚さで割ることで枚数を算出する方法ではカードの厚さのばらつきにより正確な枚数を算出できないという問題がある。さらに、カード収納部にカードを収納する際に枚数を数えてこれを記録する方法では、人手による計数のために数え間違いをする可能性や、計数を行う係員が故意に実際の枚数より少ない枚数を記録し、記録した枚数と実際の枚数との差の枚数のカードを盗むという不正行為を行えるという問題がある。
【課題を解決するための手段】
【０００６】
前述の課題を解決する手段のひとつとして、本発明によれば、発行前のカードを収納するカード収納部と、カード表面に印字を行う印刷部と、カードに顧客情報を記録するカードリーダライタ部と、カードを搬送する搬送部と、各部を制御する制御部と、を有するカード発行装置であって、前記カード収納部は、収納されたカードを前記搬送部へ繰出す繰出し口と、前記搬送部へ繰出されたカードを該カード収納部内に回収するために、前記繰出し口と別に設けられた回収口と、を備えたことを特徴とするカード発行装置が提供される。前記搬送部は、該搬送部の移動方向と直交する方向にカードを搬送する搬送路を内部に有する構成としても良い。
【０００７】
さらに、上述の構成に加え、本発明によれば、カード収納部の内部にカード束に押圧を加えるための押板と、前記押板を検知する検知手段とを備え、前記制御部は、前記検知手段によって前記押板が前記カード収納部の最下部に収納されていることを検知した場合、該カード収納部に収納されたカードの前記搬送部への繰出を停止させることを特徴とするカード発行装置が提供される。
また、前記制御部は、前記押板を前記繰出し口から前記搬送部へ繰出し、前記回収口から該カード収納部内に回収しても良い。この場合、前記押板の一部はカード１枚の厚さと同等の厚さであり、前記繰出し口の一部はカードの厚さ方向の開口寸法が、カード１枚の厚さよりも大きく、カード２枚の厚さよりも小さくしても良い。
また、前記押板は、前記搬送部の移動に連動して移動させても良い。
【発明の効果】
【０００８】
上述のように構成された本発明により提供されるカード発行装置によれば、カード収納部内のカードを１枚ずつ繰出し、回収することでカードの枚数を計数でき、カードにシリアル番号を付与するなどしてカードをコストアップすることなく、カード収納部内のカードの枚数を正確に自動計数することが可能となる。
【図面の簡単な説明】
【０００９】
【図１】カード発行装置の構成図である。
【図２】カード発行装置の機能ブロック図である。
【図３】カード収納部および搬送手段の構成例を示す図である。
【図４】カード収納部および搬送手段の構成例を示す図である。
【図５】カード収納部および搬送手段の構成例を示す図である。
【図６】実施例１に記載の動作を説明するフローチャートである。
【図７】カード収納部内のカード束、押板および検知レバーの形状と位置関係とを示す図である。
【図８】カード収納部および搬送手段の構成例を示す図である。
【図９】繰出しローラ、回収ローラの位置を説明する図である。
【図１０】繰出口、回収口の形状を説明する図である。
【図１１】繰出し爪、収納部底板とカード、押板の位置関係を説明する図である。
【図１２】繰出し爪、収納部底板とカード、押板の位置関係を説明する図である。
【図１３】実施例２に記載の動作を説明するフローチャートである。
【図１４】カード収納部および搬送手段の構成例を示す図である。
【図１５】カード収納部および搬送手段の構成例を示す平面図である。
【図１６】エレベータ部の一部を示す斜視図である。
【図１７】エレベータ部の押板レバーの動作を説明する図である。
【図１８】エレベータ部の押板レバーの動作を説明する図である。
【図１９】カード収納部内のカードの計数方法を説明する図である。
【図２０】カード収納部内のカードの計数方法を説明する図である。
【図２１】実施例３に記載の動作を説明するフローチャートである。
【図２２】カード収納部内のカードの計数方法を説明する図である。
【図２３】カード収納部内のカードの計数方法を説明する図である。
【図２４】カード収納部内のカードの計数方法を説明する図である。
【発明を実施するための形態】
【実施例１】
【００１０】
本発明の第一の実施例を、図１から図７を用いて説明する。図１および図２は、それぞれカード発行装置の構成図およびカード発行装置の機能ブロック図を示したものである。カード発行装置１は、後述する各部にカードを搬送するエレベータ式搬送部２、カード表面に印刷を行う印刷部３、カードの磁気ストライプや接触式ＩＣチップに顧客情報を書き込むカードリーダライタ部４、発行に失敗したカードを回収する回収部５、カードを放出するカード放出口６、発行前のカードを収納するカード収納部７、８、９、カードリーダライタ部４およびカード放出口６を制御するカードリーダライタ部Ｃ２、および装置の各部を制御するカード発行装置制御部Ｃ１とにより構成されている。
【００１１】
カード収納部７、８、９には、磁気ストライプや接触式ＩＣチップが設けられたカードが収納され、各々のカード収納部には異なる種類のカードを収納することが出来る。すなわち、カード発行装置１は、最大３種類のカードを選択して発行を行うことが可能な装置である。
【００１２】
カード発行を行う際には、まずカード収納部７、８、９のいずれか指定されたものよりカードを１枚繰出し、エレベータ式搬送部２に受け渡し、エレベータ式搬送部２によりカードを印刷部３へ搬送し、印刷部３でカード表面にカード番号などの情報を印刷する。その後、再びエレベータ式搬送部２にカードを受渡し、エレベータ式搬送部２によりカードをカードリーダライタ部４に搬送し、カードリーダライタ部４にてカードの磁気ストライプや接触式ＩＣチップに情報を書き込んだ後、カード放出口６よりカードを放出する。
【００１３】
図３から図５は、カード収納部７とエレベータ式搬送部２の一部を示しており、カード収納部７内のカード束２０のカード長辺を正面に見る方向から見た図である。本実施例では、一例としてカード収納部７を用いて説明するが、カード収納部８、カード収納部９についても同じ構成となっている。
【００１４】
カード収納部７にはカードを繰出す繰出し口１０とカードをカード収納部７の中に回収する回収口１１が設けられている。繰出し口１０のカード厚さ方向の開口寸法は、カード１枚の厚さよりも大きく、カード２枚分の厚さよりも小さな値となっており、これにより２枚以上のカードを重ねて繰出すことがないようにしている。繰出し口１０の近傍には、繰出し口１０から繰出されたカードをカード収納部７の外へ引抜くための１対の引抜きローラ１３および当該部位をカードが通過したことを検出する繰出しセンサ１７が設けられており、回収口１１の近傍には、カード収納部７の中にカードを回収するための１対の回収ローラ１４および当該部位をカードが通過したことを検出する回収センサ１８が設けられている。
【００１５】
また、カード収納部７の下部には、繰出し爪１２が設けられている。繰出し爪１２にはカード１枚分の厚さよりも低い段差が設けられており、繰出し爪１２を図示しない繰出し爪駆動機構により図３に示す矢印Ａ方向に駆動すると、繰出し爪１２の段差がカード収納部７の中に積載収納されたカード束２０の最下部のカード１枚を引っかけ、矢印Ａ方向に繰出し口１０から繰出すよう構成されている。また、カード束２０の上には押板２１が置かれている。押板２１は自重によりカード束２０に押圧を加え、これによりカード繰出しの際のカードの浮き上がりを防止し、確実に繰出し爪１２の段差にカード束２０の最下部のカード１枚が引っかかるようにしている。
【００１６】
以下、図６に示したフローチャートを用いて、カード収納部７内のカードの枚数を計数する方法について説明する。まず、繰出し爪１２を図３に示す矢印Ａ方向に駆動して１枚のカードを繰出し、繰出されたカードを、一対の引抜きローラ１３によりカード収納部７より引抜き、エレベータ部２２に受け渡す（ステップ１０１）。ここで、エレベータ部２２は、繰出されたカードを搬送する搬送路の一部を搬送路ごと図示上下方向に移動可能に構成したものであり、２対の搬送ローラ１５、１６およびカードを検出する搬送センサ１９を含んでいる。
【００１７】
カードを受取ったエレベータ部２２は、図示しない上下移動駆動機構により図４に示す位置まで上方向に移動される（ステップ１０２）。その後、図４に示す搬送ローラ１５、１６を、繰出されたカードを受取る際と逆の方向に回転させ、カードを回収ローラ1４に受渡し、回収ローラ１４によりカードをカード収納部７の中に回収する（ステップ１０３）。この際、回収センサ１８でカードの通過を検出し、枚数をカウントする（ステップ１０４）。その後、エレベータ部２２を再び図３に示す位置まで下降させる（ステップ１０５）。以後、このような繰出し、回収動作をカード１枚ずつ繰り返し実行しながらカードの枚数を計数してゆく。本実施例では、回収センサ１８により計数を行うが、繰出しセンサ１７、回収センサ１８、搬送センサ１９のいずれかまたは全てを使用してカードの通過枚数を計数することでも同様に計数が可能である。図４は最初に繰出されたカード２６を回収する時の状態を表しており、図示の通り最初に繰出されたカード２６は押板２１の上に収納され、２枚目以降に繰出されたカードは、前に収納されたカードの上に堆積収納される。
【００１８】
図５はカード収納部７内の全てのカードの繰出および回収が終了した状態を表しており、押板２１を最下部に、その上に全てのカードが堆積収納されている。ここで、押板２１がカード収納部７内で最下部に来たことは、カード収納部７の下部に配置された、検知レバー２３と、バネ２４と、検知レバー２３の位置を検出する光学式センサであるレバーセンサ２５とから構成されるカード有無検知手段により検出される。支点２３ａまわりに回転可能に取り付けられた検知レバー２３はバネ２４に引かれて先端が上方に動く方向に付勢されており、図３および図４に示す状態ではカード束２０の下面に先端が当たる状態で止まっている。
【００１９】
図７は、カード束２０、押板２１および検知レバー２３の形状と位置関係とを表す平面図であり、検知レバー２３の先端位置は図７にＢおよびＣで示す範囲に位置するよう構成されている。よって、図５に示す、押板２１がカード収納部７内の最下部に来た際には、検知レバー２３の先端は押板２１には当たらずに押板２１のすぐ上にあるカード束２０の最下部のカードに当たって止まることになり、図３、図４の状態と比べると、押板２１の厚さの分だけ先端が上方に回転した状態となる。検知レバー２３がこの状態になったことを検出できる位置にレバーセンサ２５が配置されているため、カード有無検知手段により押板２１がカード収納部７内の最下部に来たこと、すなわちカード収納部７内の全てのカードの繰出し、回収が終了したことが検出される（ステップ１０６）。
【００２０】
以上説明したような方法によりカード発行装置内の発行前のカードの枚数が自動計数される。上述の方法でそれぞれのカード収納部に対して自動計数を行うことで、カード発行装置内にある全ての発行前カードの枚数を自動計数できる。計数終了時には、カード発行装置またはカード発行装置に接続された別の装置に設けられた図示しない表示手段を用いてカードの計数が終了したことを係員に伝え（ステップ１０７）、カード収納部の最下部にある押板２１をカード束２０の上に移動するよう促す。
【実施例２】
【００２１】
本発明の第二の実施例を、図１、図２、図８から図１３を用いて説明する。図８は、本実施例におけるカード収納部８とエレベータ式搬送部２の一部を示している。本実施例では、一例としてカード収納部８を用いて説明するが、カード収納部７、カード収納部９についても同じ構成となっている。
【００２２】
図９から図１２は、カード収納部８を繰出し口３０と回収口３１を正面に見る方向から見た図である。図９に示す通り、引抜きローラ１３と回収ローラ１４は、カードを短辺方向の中央付近で挟持するよう配置されている。図示していないが、図８に示すエレベータ部２２の搬送ローラ１５、１６についてもカード短辺方向のローラ位置は引抜きローラ１３、回収ローラ１４と同様である。
【００２３】
図１０は、図９から引抜きローラ１３と回収ローラ１４を表示しない状態を示しており、繰出し口３０と回収口３１の形状を説明する図である。繰出し口３０においては、カード短辺方向の中央付近では上下方向の開口寸法Ｄがカード１枚の厚さよりも大きく、カード２枚の厚さよりも小さくなっており、両端部の上下方向の開口寸法ＥはＤよりも大きくなっている。また、回収口３１の上下方向の開口寸法Ｆは寸法Ｅと同等または寸法Ｅより大きくなっている。
【００２４】
図１１および図１２は、図１０において繰出し口３０、回収口３１を有する壁面を表示しない状態を示しており、カード収納部８内のカード束２０、押板３２、収納部底板３３および繰出し爪１２の形状および位置関係を説明する図である。押板３２はカード短辺方向の中央付近の厚さ寸法をカード１枚の厚さと同等すなわち図１０の寸法Ｄよりも小さく、両端部の厚さ寸法を図１０の寸法Ｅよりも小さい範囲で中央付近よりも大きく作られており、繰出し口３０を通過できる形状となっている。押板３２はこのように両端を厚くすることで、カード繰出しに必要となる自重を確保している。収納部底板３３は、その上面で押板３２の薄い部分を受けるように配置されており、繰出し爪１２は収納部底板３３の上面に接したカードまたは押板３２に対し、繰出し用の段差が引っかかるような位置に配置されている。
【００２５】
上記のような構成することで、本実施例においては、押板３２をカードと同様に繰出し口３０から繰出すことを可能にしている。また、押板３２には搬送センサ１９で検出可能な位置に図示しない切欠きまたは穴が設けられており、繰出し口３０から繰出されたものがカードであるか押板３２であるかを搬送センサ１９で検出することができる。本実施例では、搬送センサ１９により押板３２に設けられた図示しない切欠きあるいは穴を検出するが、繰出しセンサ１７、回収センサ１８、搬送センサ１９のいずれかまたは全てを使用して検出するように構成しても同様の動作が可能である。
【００２６】
以下、図１４に示したフローチャートを用いて、カード収納部８内のカードの枚数を計数する方法について説明する。なお、図１０は計数開始時の状態を示した図であり、図１１がカード収納部８内の全てのカードの繰出し、回収を終了した状態を示した図である。
【００２７】
まず、繰出し口３０からカード束２０の最下部のカード１枚を繰出し、エレベータ部２２に受け渡す（ステップ２０１）。ここで、エレベータ部２２内の搬送センサ１９により繰出されたものがカードであるか押板３２であるかを判定する（ステップ２０２）。判定の結果がカードであった場合には（ステップ２０２にてＮの場合）、エレベータ部２２をカード回収位置に移動し（ステップ２０３）、カードをカード収納部８内に回収収納し（ステップ２０４）、この際に回収センサ１７でカードの通過を検出して枚数をカウントし（ステップ２０５）、エレベータ部２２をカード繰出し位置に移動する（ステップ２０６）。その後、ステップ２０１以降の動作を繰り返し行う。
【００２８】
一方、上記搬送センサ１９による判定の結果が押板であった場合には（ステップ２０２にてＹの場合）、エレベータ部２２をカード回収位置に移動し（ステップ２０７）、押板３２をカード収納部８内に回収収納する（ステップ２０８）。このとき、回収センサ１７は押板３２の通過を検出するが、ステップ２０２で通過するものがカードではなく押板３２であることがわかっているので、通過を検出してもカード枚数としてはカウントしない。その後、エレベータ部２２をカード繰出し位置に移動して動作を終了する（ステップ２０９）。このようにして、図１１の状態から、図１０の状態すなわちカード発行動作を開始できる状態へと自動で復帰する。
【００２９】
以上説明したような方法によりカード発行装置内の発行前のカードの枚数が自動計数される。上述の方法でそれぞれのカード収納部に対して自動計数を行うことで、カード発行装置内にある全ての発行前カードの枚数を自動計数でき、計数終了後に、係員に操作を促すことなく自動でカード発行を行える状態に戻ることができる。
【実施例３】
【００３０】
本発明の第三の実施例を、図１、図２、図１４から図２４を用いて説明する。図１４は、本実施例におけるカード収納部９とエレベータ式搬送部２の一部であるエレベータ部５０を示しており、カード収納部９内のカード束２０のカード長辺を正面に見る方向から見た図である。本実施例では、一例としてカード収納部９を用いて説明するが、カード収納部７、カード収納部８についても同じ構成となっている。図１５は図１４に示すカード収納部９とエレベータ部５０を上から見た平面図である。また、図１６は図１４に示すエレベータ部５０のうち搬送ローラ５４付近を示す斜視図である。
【００３１】
以下、図１４から図１６を用いてカード収納部９およびエレベータ部５０の構成を説明する。図１４に示す通り、カード収納部９には前述のふたつの実施例同様、カード繰出し口４０とカード回収口４１が設けられている。カード収納部９内のカード束２０の上に置かれている仕切りカード４２は、形状や材質はカード束２０を構成する発行前カードと同じものであるが、発行前カードとは別の用途に使用するものであり、仕切りカード４２であることが識別できるよう、エレベータ部５０内の搬送センサ５１で検出できる位置に、図示しない切欠きまたは穴を設けてある。仕切りカード４２の上には押板４３がある。図１５に示すように押板４３はカード収納部９から一部が突出する形状となっており、この突出部と一体に取り付けられているスライド軸受け４４を介してスライドシャフト４５に上下移動可能に取り付けられている。さらに、押板４３はバネ４６により図１４に示す下方向に力を加えられており、これによりカード束２０および仕切りカード４２に押圧を与えている。
【００３２】
エレベータ部５０は、それぞれ内側に一対の搬送ガイド６４を設けたフレーム５２、５３、搬送センサ５１、および２対の搬送ローラ５４、５５により構成されており、さらに搬送ローラ５４の下側のローラと一体に構成された駆動シャフト５６には、フレーム５２の外側にトルクリミッタ５８を介して押板レバー５９が取り付けられている。また、搬送ローラ５５の下側のローラと一体に構成されたシャフト５７および駆動シャフト５６にはフレーム５３の外側にタイミングプーリ６０が取り付けられており、図示しないモータからの動力がタイミングベルト６１により伝達され、駆動される。さらにフレーム５２には、押板レバー５９を停止させる目的で、上ストッパ６２と下ストッパ６３が設けられている。
【００３３】
次に、押板レバー５９の動作について、図１７、図１８を用いて説明する。エレベータ部５０が、図１７に矢印Ｇで示す方向にカードを搬送する場合、駆動シャフト５６を矢印Ｈ方向に回転駆動する。このとき、押板レバー５９は駆動シャフト５６同様矢印Ｈ方向に回転した後、上ストッパ６２に当たり、図１７に示す位置で停止する。この状態で駆動シャフト５６を矢印Ｈ方向に回転させ続けると、トルクリミッタ５８が空回りし、押板レバー５９は図示位置に停止したまま、駆動シャフト５６は回転を続け、カード搬送は継続される。同様に、エレベータ部５０が、図１８に矢印Ｉで示す方向にカードを搬送する場合、駆動シャフト５６を矢印Ｊ方向に回転駆動する。このとき、押板レバー５９は駆動シャフト５６同様矢印Ｊ方向に回転した後、下ストッパ６３に当たり、図１８に示す位置で停止する。この状態で駆動シャフト５６を矢印Ｊ方向に回転させ続けると、トルクリミッタ５８が空回りし、押板レバー５９は図示位置に停止したまま、駆動シャフト５６は回転を続け、カード搬送は継続される。
【００３４】
以下、図２２に示したフローチャートを用いて、カード収納部９内の発行前カードの枚数を計数する方法について説明する。なお、図１９は、カード収納部９内のカード束２０の最下部にある１枚のカード７０を繰出し、エレベータ部５０に受け渡した状態を示している。
【００３５】
エレベータ部５０の搬送ローラ５４、５５を、矢印Ｋ方向にカードを搬送する方向に駆動し、繰出し爪１２を矢印Ｋ方向に移動することで、カード７０を繰出し口４１から繰出し、搬送ローラ５４へ受渡し、その後、搬送ローラ５５へ受け渡す（ステップ３０１）。カード７０の後端が搬送センサ５１を通過後、図１９に示すように一定距離を搬送して停止させる（ステップ３０２）。エレベータ部５０が搬送を停止した後も、トルクリミッタの抵抗により押板レバー５９は図１９に示す位置にある。
【００３６】
次に、図２０に示すように、エレベータ部５０の搬送ローラ５４、５５を、カード７０を矢印Ｌ方向に搬送する方向に駆動し、カード７０をエレベータ部５０内で移動させる。具体的には、カード７０の先端が搬送センサ５１を通過後、一定距離を搬送して停止させる（ステップ３０３）。このとき、押板レバー５９は図２０に示す状態となる。
【００３７】
上述した動作中に、搬送センサ５１により当該カードが仕切りカード４２かどうかを判定する（ステップ３０４）。判定の結果、仕切りカード４２でなかった場合は（ステップ３０４にてＮの場合）、エレベータ部５０を、図２２に示すようにカードをカード収納部に回収する位置まで上昇移動させる（ステップ３０５）。このとき、押板レバー５９の先端が押板４３の突出部と一体に取り付けられているスライド軸受け４４の下端に当たり、押板４３を図示位置にまで押し上げる。これにより、カード収納部９内の仕切りカード４２と押板４３との間にカードを回収収納する空間が形成される。この状態で搬送ローラ５４、５５をカードを回収する方向に駆動してカード７０を仕切りカード４２の上に回収収納し（ステップ３０６）、搬送センサ５１でカードの通過を検出して枚数をカウントし（ステップ３０７）、図２２に示すようにエレベータ部５０を、繰出したカードを受取る位置にまで下降移動させる（ステップ３０８）。
【００３８】
その後、ステップ３０１以降の動作を繰り返し行う。すなわち、搬送ローラ５４、５５を駆動し、繰出し爪１２を移動することで、図１９で説明した方法と同じように次のカードを繰出す。以上説明した動作により、カード収納部９内のカードを一枚ずつ繰出し、仕切りカード４２と押板４３の間に積載収納し、カード収納部９内のカードの枚数を計数する。
【００３９】
図２４はカード束２０を構成する全てのカードの繰出し、回収を終えた状態を示している。この状態で目的とする計数を終えているが、カード発行装置としては計数終了を認識していない状態であり、引き続き仕切りカード４２を繰出し、エレベータ部５０に受け渡し、エレベータ部５０内でカード７０を処理する際と同様に仕切りカード４２を移動する（ステップ３０１、３０２、３０３）。このときに、搬送センサ５１で仕切りカード４２に設けられた切欠きあるいは穴を検出し、これが仕切りカードであることを認識した場合（ステップ３０４にてＹの場合）、エレベータ部５０を回収位置に移動し（ステップ３０９）、仕切りカード４２を、他のカードと同様に押板４３の下に回収収納する（ステップ３１０）。このとき、搬送センサ５１は仕切りカード４２の通過を検出するが、ステップ３０４で通過するものがカードではなく仕切りカード４２であることがわかっているので、通過を検出してもカード枚数としてはカウントしない。その後、エレベータ部５０をカード繰出し位置に移動して動作を終了する（ステップ３１１）。この状態で計数動作を終了し、カード発行の指示を待つ状態となる。
【００４０】
以上説明したような方法によりカード発行装置内の発行前のカードの枚数が自動計数される。上述の方法でそれぞれのカード収納部に対して自動計数を行うことで、カード発行装置内にある全ての発行前カードの枚数を自動計数でき、計数終了後に自動でカード発行を行える状態に戻ることができる。
【符号の説明】
【００４１】
Ｃ１：カード発行装置制御部、Ｃ２：カードリーダライタ制御部、１：カード発行装置、２：エレベータ式搬送部、３：印字部、４：カードリーダライタ、５：回収部、６：カード放出口、７、８、９：カード収納部、１０：繰出し口、１１：回収口、１２：繰出し爪、１３：引抜きローラ、１４：回収ローラ、１５、１６：搬送ローラ、１７：繰出しセンサ、１８：回収センサ、１９：搬送センサ、２０：カード束、２１：押板、２２：エレベータ部、２３：検知レバー、２３ａ：検知レバーの回転支点、２４：バネ、２５：レバーセンサ、２６：カード、３０：繰出し口、３１：回収口、３２：押板、３３：収納部底板、４０：繰出し口、４１：回収口、４２：仕切りカード、４３：押板、４４：スライド軸受け、４５：スライドシャフト、４６：バネ、５０：エレベータ部、５１：搬送センサ、５２、５３：フレーム、５４、５５：搬送ローラ、５６：駆動シャフト、５７：シャフト、５８：トルクリミッタ、５９：押板レバー、６０：タイミングプーリ、６１：タイミングベルト、６２：上ストッパ、６３：下ストッパ、６４：搬送ガイド、７０：カード
【図１】
2011008653.tif 000003
【図２】
2011008653.tif 000004
【図３】
2011008653.tif 000005
【図４】
2011008653.tif 000006
【図５】
2011008653.tif 000007
【図６】
2011008653.tif 000008
【図７】
2011008653.tif 000009
【図８】
2011008653.tif 000010
【図９】
2011008653.tif 000011
【図１０】
2011008653.tif 000012
【図１１】
2011008653.tif 000013
【図１２】
2011008653.tif 000014
【図１３】
2011008653.tif 000015
【図１４】
2011008653.tif 000016
【図１５】
2011008653.tif 000017
【図１６】
2011008653.tif 000018
【図１７】
2011008653.tif 000019
【図１８】
2011008653.tif 000020
【図１９】
2011008653.tif 000021
【図２０】
2011008653.tif 000022
【図２１】
2011008653.tif 000023
【図２２】
2011008653.tif 000024
【図２３】
2011008653.tif 000025
【図２４】
2011008653.tif 000026